(57)【特許請求の範囲】
【請求項１】
Ａ）測定部位に流れている血流量によって変化する脈波データを記憶する脈波記憶手段、
Ｂ）下記を有するm次元平均ベクトル数演算手段、
b1)前記脈波データからN個の個別データについて、連続するm個の要素で構成される組み合わせを、複数生成する組み合わせ生成手段、
b2)前記各組合わせをm次元のベクトルとして各ベクトル間の距離を演算するm次元ベクトル距離演算手段、
b3)前記m次元の各ベクトルについて、距離d内に存在するベクトルの数を演算するとともに、その前記m次元ベクトル数についての統計的平均値を演算するm次元平均ベクトル数演算手段、
b4)前記m次元の各ベクトルについて、距離d内に存在するベクトルの数を演算するとともに、そのm次元ベクトル数についての統計的平均値を演算するm次元平均ベクトル数演算手段、
C）下記を有するm+1次元平均ベクトル数演算手段、
c1)前記脈波データからN個の個別データについて、連続するm+1個の要素で構成される組み合わせを、複数生成する組み合わせ生成手段、
c2)前記各組合わせをm+1次元のベクトルとして各ベクトル間の距離を演算するm+1次元ベクトル距離演算手段、
c3)前記m+1次元の各ベクトルについて、前記距離d内に存在するベクトルの数を演算するとともに、そのm+1次元ベクトル数についての統計的平均値を演算するm+1次元平均ベクトル数演算手段、
c4)前記m+1次元の各ベクトルについて、距離d内に存在するベクトルの数を演算するとともに、その前記m+1次元ベクトル数についての統計的平均値を演算するm+1次元平均ベクトル数演算手段、
Ｄ）前記m次元平均ベクトル数および前記m+1次元平均ベクトル数に基づいて、前記脈波の微視的乱雑さを求める乱雑さ演算手段、
を備え、
前記m次元平均ベクトル数演算手段および前記m+1次元平均ベクトル数演算手段は、前記距離dを変化させた場合の、m次元平均ベクトル数およびm+1次元平均ベクトル数を求め、
前記乱雑さ演算手段は、前記距離dを変化させた場合の、前記脈波の微視的乱雑さを求め、
さらに、前記脈波の微視的乱雑さの変化グラフを生成する生成手段を有すること、
を特徴とする診断データ生成装置。
【請求項２】
請求項１の診断データ生成装置において、
前記距離dは、前記N個の個別データにおける血流量の標準偏差に係数を乗じたものであり、
前記乱雑さ演算手段は、前記係数を変化させることにより前記距離dを変更して、前記脈波の微視的乱雑さを求めること、
を特徴とする診断データ生成装置。
【請求項３】
請求項１または請求項２の診断データ生成装置において、
前記脈波データは、脈波の時系列データであるもの、  
を特徴とする診断データ生成装置。
【請求項４】
請求項１または請求項２の診断データ生成装置において、
前記脈波データは、微分脈波データの時系列データであるもの、  
を特徴とする診断データ生成装置。
【請求項５】
請求項１〜４のいずれかの診断データ生成装置において、
前記m=2、またはm=3であるもの、
を特徴とする診断データ生成装置。
【請求項６】
Ａ）測定部位に流れている血流量によって変化する脈波データを記憶する脈波記憶手段、
Ｂ）下記b1)〜b3)を有する演算手段、
b1)前記脈波データからN個の個別データについて、連続するm個の要素で構成される組を、複数生成し、各組の要素の値から決定される組特性値の違いが第１閾値d未満である組の集合数を第1組数として求める第1組数演算手段、
b2)前記N個の個別データについて、連続するm+1個の要素で構成される組を、複数生成し、各組の要素の値から決定される組特性値の違いが第１閾値d未満である組の集合数を第２組数として求める第２組数演算手段、
b3)前記第１組数および前記第２組数に基づいて、前記脈波の微視的乱雑さを求める微視的乱雑さ演算手段、
C)前記微視的乱雑さ演算手段に、前記第１閾値dを変化させた場合の、前記脈波の微視的乱雑さを演算させる変化微視的乱雑さ演算手段、
Ｄ）前記第１閾値dを変化させた場合の脈波の微視的乱雑さの変化グラフを生成する手段を有すること、
を特徴とする診断データ生成装置。
【請求項７】
請求項６の診断データ生成装置において、
前記第１閾値dは、前記N個の個別データにおける血流量の標準偏差に係数を乗じたものであり、
前記変化微視的乱雑さ演算手段は、前記係数を変化させることにより前記第１閾値dを変更して、前記脈波の微視的乱雑さを求めること、
を特徴とする診断データ生成装置。
【請求項８】
請求項１〜７のいずれかの診断データ生成装置、
前記生成された変化グラフを出力する出力手段、
を備えた診断データ出力装置。
【請求項９】
請求項１〜８のいずれかの診断データ生成装置、
前記変化グラフについて、単純減少傾向でない場合には、これを報知する報知手段、
を備えた診断装置。
【発明の詳細な説明】
【技術分野】
【０００１】
この発明は、診断データ生成装置に関し、特に、精神的疾患の客観的判断処理に関する。
【背景技術】
【０００２】
今日、鬱病の客観的データによる認定として、脳細胞を活性化するたんぱく質の遺伝子の働き具合をチェックする認定手法が知られている。
【０００３】
特許文献１には、取得した生体情報に対してカオス解析を行い、意思疎通や痴呆度などの精神的免疫度を測定するコンピュータシステムが開示されている。
【先行技術文献】
【特許文献】
【０００４】
【特許文献１】特開2006-204502号
【発明の概要】
【発明が解決しようとする課題】
【０００５】
しかし、上記遺伝子を働き具合をチェックする手法は、血液検査のあと、研究所に送っての判断が必要であり、煩雑でかつ判定に時間がかかる。
【０００６】
この発明は、簡易に鬱病などの精神疾患を簡易に判断できる診断データ生成装置を提供することを目的とする。
【課題を解決するための手段】
【０００７】
１）本発明にかかる診断データ生成装置は、Ａ）測定部位に流れている血流量によって変化する脈波データを記憶する脈波記憶手段、Ｂ）下記を有するm次元平均ベクトル数演算手段、b1)前記脈波データからN個の個別データについて、連続するm個の要素で構成される組み合わせを、複数生成する組み合わせ生成手段、b2)前記各組合わせをm次元のベクトルとして各ベクトル間の距離を演算するm次元ベクトル距離演算手段、b3)前記m次元の各ベクトルについて、距離d内に存在するベクトルの数を演算するとともに、その前記m次元ベクトル数についての統計的平均値を演算するm次元平均ベクトル数演算手段、b4)前記m次元の各ベクトルについて、距離d内に存在するベクトルの数を演算するとともに、そのm次元ベクトル数についての統計的平均値を演算するm次元平均ベクトル数演算手段、C）下記を有するm+1次元平均ベクトル数演算手段、c1)前記脈波データからN個の個別データについて、連続するm+1個の要素で構成される組み合わせを、複数生成する組み合わせ生成手段、c2)前記各組合わせをm+1次元のベクトルとして各ベクトル間の距離を演算するm+1次元ベクトル距離演算手段、c3)前記m+1次元の各ベクトルについて、前記距離d内に存在するベクトルの数を演算するとともに、そのm+1次元ベクトル数についての統計的平均値を演算するm+1次元平均ベクトル数演算手段、c4)前記m+1次元の各ベクトルについて、距離d内に存在するベクトルの数を演算するとともに、その前記m+1次元ベクトル数についての統計的平均値を演算するm+1次元平均ベクトル数演算手段、Ｄ）前記m次元平均ベクトル数および前記m+1次元平均ベクトル数に基づいて、前記脈波の微視的乱雑さを求める乱雑さ演算手段、を備え、前記m次元平均ベクトル数演算手段および前記m+1次元平均ベクトル数演算手段は、前記距離dを変化させた場合の、m次元平均ベクトル数およびm+1次元平均ベクトル数を求め、前記乱雑さ演算手段は、前記距離dを変化させた場合の、前記脈波の微視的乱雑さを求め、さらに、前記脈波の微視的乱雑さの変化グラフを生成する生成手段を有する。
【０００８】
このように、前記距離dを変化させた場合の、前記脈波の微視的乱雑さを求め、前記微視的乱雑さの変化グラフを生成することにより、精神疾患のための客観的な判断データを得ることができる。
【０００９】
２.  本発明にかかる診断データ生成装置においては、前記距離dは、前記N個の個別データにおける血流量の標準偏差に係数を乗じたものであり、前記乱雑さ演算手段は、前記係数を変化させることにより前記距離dを変更して、前記脈波の微視的乱雑さを求める。したがって、血流量の個体的振れ幅を考慮した判断データを得ることができる。
【００１０】
３.  本発明にかかる診断データ生成装置においては、前記脈波データは、脈波の時系列データである。したがって、脈波に基づく判断データを得ることができる。  
【００１１】
４.  本発明にかかる診断データ生成装置においては、前記脈波データは、微分脈波データの時系列データである。したがって、微分脈波データに基づく判断データを得ることができる。  
【００１２】
５.  本発明にかかる診断データ生成装置においては、前記m=2、またはm=3である。
【００１３】
６.  本発明にかかる診断データ生成装置においては、Ａ）測定部位に流れている血流量によって変化する脈波データを記憶する脈波記憶手段、Ｂ）下記b1)〜b3)を有する演算手段、b1)前記脈波データからN個の個別データについて、連続するm個の要素で構成される組を、複数生成し、各組の要素の値から決定される組特性値の違いが第１閾値d未満である組の集合数を第1組数として求める第1組数演算手段、b2)前記N個の個別データについて、連続するm+1個の要素で構成される組を、複数生成し、各組の要素の値から決定される組特性値の違いが第１閾値d未満である組の集合数を第２組数として求める第２組数演算手段b3)前記第１組数および前記第２組数に基づいて、前記脈波の微視的乱雑さを求める微視的乱雑さ演算手段、C)前記微視的乱雑さ演算手段に、前記第１閾値dを変化させた場合の、前記脈波の微視的乱雑さを演算させる変化微視的乱雑さ演算手段、Ｄ）前記第１閾値dを変化させた場合の脈波の微視的乱雑さの変化グラフを生成する手段を有する。このように、前記第１閾値dを変化させた場合の、前記脈波の微視的乱雑さを求め、前記微視的乱雑さの変化グラフを生成することにより、精神疾患のための客観的な判断データを得ることができる。
【００１４】
７.  本発明にかかる診断データ生成装置においては、前記第１閾値dは、前記N個の個別データにおける血流量の標準偏差に係数を乗じたものであり、前記変化微視的乱雑さ演算手段は、前記係数を変化させることにより前記第１閾値dを変更して、前記脈波の微視的乱雑さを求める。したがって、血流量の個体的振れ幅を考慮した判断データを得ることができる。
【００１５】
８.  本発明にかかる診断データ出力装置は、前記いずれかの診断データ生成装置、と前記生成された変化グラフを出力する出力手段を備えている。
【００１６】
９.  本発明にかかる診断装置は、前記いずれかの診断データ生成装置と前記変化グラフについて、単純減少傾向でない場合には、これを報知する報知手段を備えている。
【００１７】
１０.  本発明にかかる診断データ生成装置においては、測定部位に流れている血流量によって変化する脈波データを記憶する脈波記憶手段、前記脈波データを２回以上微分した微分脈波データを演算する複数回微分データ演算手段、前記微分脈波データから、埋め込み次元をｎとし埋め込み遅延をτとして、カオスアトラクターを生成するカオスアトラクター生成手段を備えている。かかるカオスアトラクターの軌道は、健常者と精神疾患者では形状が異なる。したがって、精神疾患のための客観的な判断データを得ることができる。
【００１８】
１１.  本発明にかかる診断データ出力装置は、前記診断データ生成装置と、前記生成したカオスアトラクターの軌道形状を出力する出力手段を備えている。
【００１９】
１２.  本発明にかかる診断データ生成装置においては、測定部位に流れている血流量によって変化する脈波データを記憶する脈波記憶手段、前記脈波データを４回以上微分した微分脈波データを演算する複数回微分データ演算手段、精神疾患傾向があることを示す精神疾患度演算手段であって、前記微分脈波データから、波高比b/a を求めて、これを第１パラメータとして、前記第１パラメータの値が小さいほど前記精神疾患度が大きいと判断する精神疾患度演算手段を備えている。このように、前記第１パラメータから前記精神疾患度を判断することにより、精神疾患のための客観的な判断データを得ることができる。
【００２０】
１３.  本発明にかかる診断データ生成装置においては、前記精神疾患度演算手段は、前記微分脈波データから、波高比d/bを求めて、これを第２パラメータとして、前記第１パラメータと前記第２パラメータの差が小さいほど前記精神疾患度が大きいと判断する。このように、前記第１パラメータと第２パラメータの差から前記精神疾患度を判断することにより、精神疾患のための客観的な判断データを得ることができる。
【００２１】
１４.  本発明にかかる診断データ生成装置においては、測定部位に流れている血流量によって変化する脈波データを記憶する脈波記憶手段、前記脈波データを４回以上微分した微分脈波データを演算する複数回微分データ演算手段、精神疾患傾向があることを示す精神疾患度演算手段であって、前記微分脈波データから、波高比d/bを求めて、これを第２パラメータとして、前記第２パラメータの値が小さいほど前記精神疾患度が大きいと判断する精神疾患度演算手段、を備えている。このように、前記第２パラメータから前記精神疾患度を判断することにより、精神疾患のための客観的な判断データを得ることができる。
【００２２】
１５.  本発明にかかる診断データ出力装置は、前記診断データ生成装置と、前記生成したカオスアトラクターの軌道形状を出力する出力手段を備えている。
【００２３】
本明細書において、「統計的平均値」とは、狭義の平均値、中央値、最頻値を含む。また、狭義の「平均値」としては、相乗平均、調和平均、一般化平均、加重平均など、各種の算術手法を含む。「微分脈波データ」とは、脈波データを少なくとも１回以上微分したデータを含む。
【図面の簡単な説明】
【００２４】
【図１】診断データ生成装置１の機能ブロック図である。
【図２】診断データ生装置１のハードウェア構成を示す図である。
【図３】脈波データの波形の一例である。
【図４】グラフ生成のフローチャートを示す。
【図５】サンプルエントロピー演算処理の詳細フローチャートである。
【図６】rを変更した場合の演算結果（健常人）を示す。
【図７】rを変更した場合の演算結果（精神疾患あり）を示す。
【図８】サンプルエントロピーの意義を説明する図である。
【図９】サンプリングレートを変えた場合のグラフである。
【図１０】第２実施形態における加速度脈波である。
【図１１】第２実施形態における健常者のアトラクタの軌道を示すグラフである。
【図１２】第２実施形態における精神疾患者のアトラクタの軌道を示すグラフである。
【図１３】アトラクタ生成装置２１０の機能ブロック図である。
【図１４】アトラクタ生成のフローチャートである。
【図１５】指尖脈波データからのカオスアトラクタを生成する行程を示す図である。
【図１６】健常者の４回微分データを示す。
【図１７】精神疾患者の４回微分データを示す。
【図１８】健常者のアトラクタを示す。
【図１９】精神疾患者のアトラクタを示す。
【図２０】波高比についての分析結果である。
【図２１】波高比b/aについて、患者と健康者との違いを説明するための図である。
【図２２】波高比b/dについて、の患者と健康者との違いを説明するための図である。
【図２３】診断データ生成装置４１０の機能ブロック図である。
【図２４】波高比から診断する場合のフローチャートである。
【図２５】診断データ生成装置５２０の機能ブロック図である。
【符号の説明】
【００２５】
１・・・・ 診断データ生成装置
２３・・・ＣＰＵ
２７・・・メモリ
【発明を実施するための最良の形態】
【００２６】
機能ブロック図
図１に、本発明にかかる診断データ生成装置１を有する診断装置１００の機能ブロック図を示す。診断装置１００は、指尖脈波計測手段３、診断データ生成装置１１０、報知手段１１および出力手段１２を備えている。
【００２７】
指尖脈波計測手段３は、指尖脈波を計測して、測定部位に流れている血流量によって変化する脈波データを計測する。
【００２８】
診断データ生成装置１１０は、脈波記憶手段５、m次元平均ベクトル数演算手段７、m+1次元平均ベクトル数演算手段８、乱雑さ演算手段９、生成手段１０を備えている。m次元平均ベクトル数演算手段７は、前記脈波データからN個の個別データについて、連続するm個の要素で構成される組み合わせを、複数生成する組み合わせ生成手段、前記各組合わせをm次元のベクトルとして各ベクトル間の距離を演算するm次元ベクトル距離演算手段、前記m次元の各ベクトルについて、距離d内に存在するベクトルの数を演算するとともに、その前記m次元ベクトル数についての統計的平均値を演算するm次元平均ベクトル数演算手段、および前記m次元の各ベクトルについて、距離d内に存在するベクトルの数を演算するとともに、そのm次元ベクトル数についての統計的平均値を演算するm次元平均ベクトル数演算手段を有している、
m+1次元平均ベクトル数演算手段８は、前記脈波データからN個の個別データについて、連続するm+1個の要素で構成される組み合わせを、複数生成する組み合わせ生成手段、前記各組合わせをm+1次元のベクトルとして各ベクトル間の距離を演算するm+1次元ベクトル距離演算手段、前記m+1次元の各ベクトルについて、前記距離d内に存在するベクトルの数を演算するとともに、そのm+1次元ベクトル数についての統計的平均値を演算するm+1次元平均ベクトル数演算手段、前記m+1次元の各ベクトルについて、距離d内に存在するベクトルの数を演算するとともに、その前記m+1次元ベクトル数についての統計的平均値を演算するm+1次元平均ベクトル数演算手段を有している。
【００２９】
乱雑さ演算手段９は、前記m+1次元平均ベクトル数および前記m次元平均ベクトル数に基づいて、前記脈波の微視的乱雑さを求める。
【００３０】
また、m次元平均ベクトル数演算手段７およびm+1次元平均ベクトル数演算手段８は、前記距離dを変化させた場合の、m次元平均ベクトル数およびm+1次元平均ベクトル数を求める。乱雑さ演算手段９は、前記距離dを変化させた場合の、前記脈波の微視的乱雑さを求める。生成手段１０は前記脈波の微視的乱雑さの変化グラフを生成する。
【００３１】
したがって、前記距離dを変化させた場合の、m次元平均ベクトル数およびm+1次元平均ベクトル数に基づいて、前記脈波の微視的乱雑さを求めることができる。
【００３２】
報知手段１１は、前記変化グラフについて、単純減少傾向でない場合には、これを報知する。出力手段１２は生成された変化グラフを出力する。
【００３３】
２．ハードウェア構成
診断装置１００のハードウェア構成について、図２を用いて説明する。同図は、診断装置１００を、ＣＰＵを用いて構成したハードウェア構成の一例である。
【００３４】
診断装置１００は、ＣＰＵ２３、メモリ２７、ハードディスク２６、モニタ３０、光学式ドライブ２５、入力デバイス２８、通信ボード３１、脈波センサ３６およびバスライン２９を備えている。ＣＰＵ２３は、ハードディスク２６に記憶された各プログラムにしたがいバスライン２９を介して、各部を制御する。
【００３５】
ハードディスク２６は、オペレーティングシステムプログラム２６ｏ（以下ＯＳと略す）、メインプログラム２６ｐが記憶される。メインプログラム２６ｐの処理は、後述する。
【００３６】
脈波センサ３６は、一般的な指尖脈波計測器である。本実施形態においては、赤外線を用いて血流量を計測し、この血流量から指尖脈波を求める指尖脈波計測器を採用した。具体的には、発光素子から照射された赤外線が計測対象の指で反射され、これを受光素子で受光する。この反射光の強度は、血流量を表している。したがって、受光素子から出力される信号は、指尖容積脈波となる。この受光素子からの信号をデジタルデータにして出力する。
【００３７】
脈波センサ３６からのデータはメモリ２７に取り込まれ、脈波記憶部２６mに記憶される。
【００３８】
図３Ａに、指尖脈波計測器３６から出力される指尖脈波の例を示す。実際にはデジタルデータであるが、図３Ａにおいては波形として示している。
【００３９】
結果記憶部２６kには後述するように計測した脈波から得られたサンプルエントロピーが記憶される。
【００４０】
本実施形態においては、オペレーティングシステムプログラム（ＯＳ）２６ｏとして、Windows７（登録商標または商標）を採用したが、これに限定されるものではない。
【００４１】
なお、上記各プログラムは、光学式ドライブ２５を介して、プログラムが記憶されたＣＤ−ＲＯＭ２５ａから読み出されてハードディスク２６にインストールされたものである。なお、ＣＤ−ＲＯＭ以外に、フレキシブルディスク（ＦＤ）、ＩＣカード等のプログラムをコンピュータ可読の記録媒体から、ハードディスクにインストールさせるようにしてもよい。さらに、通信回線を用いてダウンロードするようにしてもよい。
【００４２】
本実施形態においては、プログラムをＣＤ−ＲＯＭからハードディスク２６にインストールさせることにより、ＣＤ−ＲＯＭに記憶させたプログラムを間接的にコンピュータに実行させるようにしている。しかし、これに限定されることなく、ＣＤ−ＲＯＭに記憶させたプログラムを光学式ドライブ２５から直接的に実行するようにしてもよい。なお、コンピュータによって、実行可能なプログラムとしては、そのままインストールするだけで直接実行可能なものはもちろん、一旦他の形態等に変換が必要なもの（例えば、データ圧縮されているものを、解凍する等）、さらには、他のモジュール部分と組合して実行可能なものも含む。
【００４３】
３.  フローチャート
（３．１  診断データ生成処理）  
図４に診断データ生成処理の全体のフローチャートを示す。ユーザは、脈波センサ３３に計測対象の指を接触させて、診断装置１００に計測開始処理を実行させる。これにより、ＣＰＵ２３は、指尖脈波の読み取りおよび記憶を開始する（図４ステップＳ１）。結果は、メモリ２７に記憶される。記憶された脈波データは横軸時間、縦軸血流量を表している。
【００４４】
ＣＰＵ２３は、脈波データからＮ個のサンプリングを行う(ステップＳ３)。本実施形態においては、１秒間に２００回のサンプリングレートとして、３分間のデータを採用した（N=36000）。
【００４５】
ＣＰＵ２３は、許容値rを初期値とする(ステップＳ５)。本実施形態においては許容値rの初期値を0.1とした。
【００４６】
ＣＰＵ２３は、N個のサンプリング値を１つずつずらしながら、m個の要素で構成される組Bと、m+1個の要素で構成される組Aを生成する(ステップＳ７)。例えば、N個のサンプリング値が、1番目がk(1)、2番目がk(2)、3番目がk(3)、4番目がk(4)、5番目がk(5)、・・・・n番目がk(n)で、m=2とすると、組Ｂはm個の要素で構成されるので、B(1)=（k(1)、k(2)）、B(2)=（k(2)、k(3))、B(3)=（k(3)、k(4)）・・・、B(N-m)=（k(N-m)、k(N-m)）の、N-m個の組で構成される。一方、組Ａは、m+1個の要素で構成されるので、Ａ(1)=（k(1)、k(2)、k(3))、Ａ(2)=（k(2)、k(3)、k(4))、Ａ(3)=（k(3)、k(4)、k(5))・・・、Ａ(N-m)＝（k(N-m)、k(N-m+1)、k(N)）と、同じくN-m個の組で構成される。ここで、組Bについて、組Aと同じ数の組を生成したのは後述するように、両者の組数を一致させるためである。
【００４７】
ＣＰＵ２３は、組Ａをm次元のベクトル、組Ｂをm次元のベクトルで表現されているとして、サンプルエントロピーを演算する(ステップＳ９)。本実施形態において採用したサンプルエントロピーの演算手法を図５を用いて説明する。
【００４８】
ＣＰＵ２３は、処理番号iを初期化する(図５ステップＳ２１)。ＣＰＵ２３は、組Bの各組をm次元のベクトルとして、i番目の組と他の全ての組との差分を演算し、i番目の組で特定されるベクトルについて、距離σ・r内に存在するベクトルの平均ベクトル数Bmi  (r)を求める(ステップＳ２３)。なお、σは、サンプリングしたＮ個のサンプリング値の標準偏差である。距離σ・r内に存在するベクトルの平均ベクトル数は、各ベクトルについて差分を演算して、その差分が、距離σ・r内となるベクトルの数を求めればよい。
【００４９】
ここでは、まず、i=1であるので、ＣＰＵ２３は、ベクトルB(1)について、他のベクトルB(2)=（k(2)、k(3))との距離を求める。本実施形態においては、ベクトル間の距離は、対応する要素間の差の最大値を採用した。例えば、ベクトルB(1)とベクトルB(2)の場合、ベクトルB(2)のk(2)と、ベクトルB(1)のk(1)の差と、ベクトルB(2)のk(3)と、ベクトルB(1)のk(2)の差のうち、大きい値が距離となる。なお、ベクトルの距離については、他のベクトル距離の演算手法（例えば、ユークリッド距離等)を採用することもできる。
【００５０】
ＣＰＵ２３は、求めた距離が距離σ・rより小さければ、距離σ・r内のベクトルの個数は「１」、なければ、「０」とする。これは、ベクトルB(1)の近傍に自分自身以外のベクトルがいくつ存在するかを判断するためである。以下、同様にして、ベクトルB(1)=（k(1)、k(2)）と、ベクトルB(3)=（k(3)、k(4)）との距離、・・・と繰り返して、ベクトルB(1)とB(N-m)との距離を求める。得られた個数を総計して、その平均を求める。本実施形態においては、自分自身との距離は求めていないので、(N-m-1)個の距離を総計して、それらの平均を求めた。これにより、ベクトルB21(0.1)の近傍存在平均個数が求められる。
【００５１】
同様にして、組Ａの各組をm+1次元のベクトルとして、i番目の組と他の全ての組との差分を演算し、i番目の組で特定されるベクトルについて、距離σ・r内に存在するベクトルの平均ベクトル数Am+1i  (r)を求める(ステップＳ２５)。
【００５２】
ＣＰＵ２３は処理番号iをインクリメントし、処理番号iが最終まで終了したか否か判断する。この場合、終了していないので、ステップＳ２３，２５の処理を繰り返す。これにより、ベクトルB22(0.1)、ベクトルＡ22(0.1)の近傍存在平均個数が求められる。これにより、全ベクトルについて  近傍存在平均個数が求められる。
【００５３】
ＣＰＵ２３は、ステップＳ２９にて、組Ａ、Ｂそれぞれについての全ての組について近傍存在平均個数を求めると、全組の平均ベクトル数Ａm+1 (r)および平均ベクトル数Bm (r)を求める(ステップＳ３１)。これは、平均ベクトル数Ｂm２1  (0.1)、Ｂm２2  (0.1)、Ｂm２３  (0.1)を総計して、その平均を求めればよい。平均ベクトル数Am+1i  (r)についても同様である。
【００５４】
ＣＰＵ２３は、全組の平均ベクトル数Ａm+1 (r)および平均ベクトル数Bm (r)から、サンプルエントロピーを求める。本実施形態においては、下記式１のように、(Ａm+1 (r)／Ｂm (r))を求めて、その自然対数に−１を乗じた値を、サンプルエントロピーとした。
【００５５】
SampEn(m,r,N)=-ln (Ａm+1 (r)／Ｂm (r))・・・・（式１）
ここで、mは組を構成する要素数、rは距離の閾値、Nは数サンプル数である。
【００５６】
このようにして、許容値r＝0.1の場合の、組Ａ、組Ｂのサンプルエントロピーが求められる。ＣＰＵ２３は、許容値rに増加分r1を加算して（図４ステップＳ１１）、許容値rが設定値を超えたかを判断し（ステップＳ１３）、越えていなければ、前記r1だけ増加した値についての、組Ａ、組Ｂのサンプルエントロピを求める。以下、同様にして、許容値rがr1づつ増加した場合のサンプルエントロピーが求められ、結果記憶部２６k（図２参照）に記憶される。本実施形態においてはr1=0.01としたがこれに限定されない。
【００５７】
ステップＳ１３にて、許容値rが設定値を超えた場合には、処理を終了する。本実施形態においては、設定値を0.5としたが、これに限定されない。このようにして、許容値rを順次変更した場合の、サンプルエントロピーが求められる。
【００５８】
ＣＰＵ２３は、許容値rを順次変更した場合の、サンプルエントロピーの変化をグラフ表示する。図６は、健常人の場合であり、図７は大うつ病性障害（単一型）の患者の計測結果である。図６に示す、健常人のグラフは、許容値rが大きくなればなるほどサンプルエントロピーの値は単調に減少している。これは、許容範囲が大きいということは、バラツキが大きい場合でも、サンプルエントロピーは小さくなるからである。これに対して、図７に示す、精神疾患がある場合、サンプルエントロピーは許容値rが大きくなっても、単調減少ではなく、途中で一旦上昇する傾向にある。かかる理由については明確ではないが、発明者は、脈波の乱れと、精神疾患についてなんらかの関連性があると考えた。かかる傾向は、他の精神疾患の患者について調べたところ、同様野結果が得られた。本実施形態においては、精神疾患として、アスペルガー症候群、大うつ病性障害（単一型）、大うつ病性障害(単一型)急性ストレス障害、大うつ病性障害・原発性睡眠障害、大うつ病性障害特定不能の不安障害、大うつ病性障害反復性・燃え尽き症候群、大うつ病性障害（反復型）、分裂感情障害(うつ病型)、双極II型障害、摂食障害、気分循環性障害、器質性精神病性障害(バセドー氏病)、気分循環性障害、摂食障害器質性精神病性障害甲状腺機能低下症、短期精神病性障害（顕著ストレス因子あるもの）、器質性精神病性障害・甲状腺機能低下症、気分循環性障害・強迫性適応障害、PMS器質性精神病性障害、気分変調性障害PTSD化学物質過敏症、統合失調症(妄想型)、強迫性障害、統合失調症等についても、同様の傾向が見られた。
【００５９】
このように、許容値rを順次変更した場合の、サンプルエントロピーの変化をグラフ表示することにより、被検査者が精神疾患を患っているのかについて、簡易かつ客観的に判断することができる。
【００６０】
本実施形態においてはm=2である場合について説明したが、発明者は、さらに、m=3、m=4・・・とmを大きくして検討したところ、図６，図７に示すように、同様の傾向があることが判明した。このように、上記傾向は、m=2またはm=3である場合に顕著であるが、m=4以上であっても、生ずる場合がある。
【００６１】
また、複数のmの値について複数の曲線を描画すると、精神疾患者については、他の曲線と交差する傾向があることも分かった（図７参照）。したがって、図４に示すような許容値rを変更したサンプルエントロピーを求める場合を、さらにmを変化させた処理を繰り返すことに、精神疾患者か否かをより客観的に判断することができる。
【００６２】
また、得られた変化グラフについて、単純減少傾向か否かを判断するようにして、単純現象傾向でない場合には、これを報知するようにしてもよい。また、上記の複数のmの値について複数の曲線を描画すると、他の曲線と交差する場合、これを検出して報知するようにしてもよい。
【００６３】
本実施形態におけるサンプルエントロピーの利用手法について、従来との違いについて、説明する。
【００６４】
従来からサンプルエントロピーを求めてその値によって精神状態を判断する手法は知られていた。具体的には、従来のサンプルエントロピーの演算では、サンプル数Nと許容範囲ｒと連の長さｍを固定した値で，演算を行い、その値によって判断を行っていた。血流量のように、時間の経過に伴って揺らぎながら周期的に変化する時系列変化データについて、これを複数のサンプル区間に分けた場合、以下のような関係が得られる。
【００６５】
組Bを構成する要素の値は、図８に示すような連続するデータの変化を示している。これをm次元のベクトルと把握して、σ・r内に位置するベクトルの分布数、すなわち、図８Ｂに示すように、ある値k(P)からk(P+1)へ変化する区間として類似する区間がどの程度存在するのかを示す。また、組Aを構成する要素の値は、さらに、ある値k(P)からk(P+1)へ変化し、その後、k(P+2)に変化する区間として類似する区間がどの程度あるのかを示す。上記式（１）の対数の中の(Ａm+1 (r)／Ｂm (r))は、 (Ａm+1 (r)/(N-m-1)／Ｂm (r)/(N-m-1))から、/(N-m-1)を約分したものである。ここで、Ｂm (r)/(N-m-1)は、ある値k(P)からk(P+1)への変化する確率を、Ａm+1 (r)/(N-m-1)は、ある値k(P)からk(P+1)への変化した後、さらに、k(P+2)に変化する確率を求めている。すなわち、これらの比は、ある値k(P)からk(P+1)への変化を１とした時に、さらに、k(P+2)に変化する割合を求めている。式（１）はこの値の対数を求めている。従来は、かかる値によって精神疾患との関係を分析するというものであった。
【００６６】
これに対して、発明者は、かかる一点の数値から判断するのではなく、統計的な手法によって判断ができないかと考えた。そこで、サンプル数Nにおける，それぞれの連の長さｍに対する許容範囲ｒを変化させたサンプルエントロピーを求めた。通常、許容範囲ｒを大きくすればするほど，サンプルエントロピーは，ある連ｍの近傍に入る数は大きくなると同時に，隣の連m+1の近傍に入る数も大きくなり，やがて，その両者の数はある一定の値に単調に収束すると予想される。健常者の場合には、実際、単調に減衰し，収束する。これに対して、精神疾病者については、かかる変化が単調に減衰するのではなく、一度値が上昇する(グラフが盛り上がる)傾向があるのが判明した。このように、許容範囲ｒを変化させた場合の、グラフの形状で判断する点が従来と異なる。
【００６７】
本実施形態においては、サンプリング個数N=36000としたが、Nの値についてはこれに限定されない。図９Ａに示すようにN=600程度でも、さらに、図９Ｂに示すようにN=100程度でも、同様の傾向が検出される。したがって、３秒の計測時間、さらには、０．５秒の計測時間で、ほぼ同様の計測結果を得ることができる。
【００６８】
本実施形態においては、組Ｂ、Ａについては、mの値を、mとm+1とした場合について説明したが、これに限定されず、例えば、mとm+2であってもよい。
【００６９】
本実施形態においては、図３，図４に示す処理にて、サンプルエントロピーを求めたが、これに限定されず、他の演算手法でサンプルエントロピーを求めるようにしてもよい。
【００７０】
また、本実施形態においては、組Bについて、組Aと同じ数の組を生成したが、組Bについて、N-m+1個の組で構成してもよい。これは、Nが100以上程度であれば、両者のサンプルエントロピーの比は、ほぼ誤差程度の違いが生ずるだけだからである。
【００７１】
本実施形態においては図５ステップＳ２３、ステップＳ２５において、平均を求めるのに、(N-m-1)個の距離を総計して、それらの平均を求めたが、これに限定されず、自分自身の距離０を加算して、(N-m)個の距離を総計して、それらの平均を求めてもよい。
【００７２】
本実施形態においては、サンプルエントロピーを求めるようにしたが、コロモグロフ（kolmogorov)、シャノン（Shannon）のエントロピー演算式など、一般的な冗長度を表す演算式であれば採用することができる。
【００７３】
本実施形態においては、脈波データを採用したが、これを微分した速度脈波、または加速度脈波であってもよい。速度脈波は、脈波データを１回微分することにより、加速度脈波は脈波データを２回微分することにより、求めることができる。さらに加速度脈波を１または２回以上微分した微分脈波データを用いてもよい。
【００７４】
４.  第２実施形態
図１０に示すような加速度脈波についても、既に説明したように、サンプルエントロピーの軌道傾向が、精神疾患者と健常者では異なる。発明者は、前記加速度脈波のカオスアトラクタを表示することにより、何らかの違いが生ずる可能性があると仮定して、カオスアトラクタを生成した。その結果、図１１A，図１２Aに示すように、健常者と精神疾患者とではアトラクタの形状が明確に異なる。
【００７５】
図１０Aに健常者の脈波およびその加速度脈波を、図１０Bに精神疾患者の脈波およびその加速度脈波を示す。図１０Aに示す脈波から生成したカオスアトラクタを図１１Bに、図１０Bに示す脈波から生成したカオスアトラクタを図１２Bに、それぞれ示す。このように、脈波から生成したカオスアトラクタについては、両者に明確な違いは見られない。これに対して、既に説明したように、加速度脈波のカオスアトラクタについては、健常者はとがった形をしているのに対し（図１１A参照)，疾患者のグラフは丸く、かつ、複雑である（図１２A参照)。したがって、このように、加速度脈波のカオスアトラクタの軌道を表示することにより、精神疾患者か否かを客観的に判断できる。
【００７６】
図１３に第２の実施形態にかかる診断装置２００の機能ブロック図を示す。診断装置２００は、指尖脈波計測手段２０３と、診断データ生成装置２０１と、出力手段２１３を備えている。
【００７７】
指尖脈波計測手段２０３は、図１に示す指尖脈波計測手段３と同様である。診断データ生成装置２０１は、指尖脈波計測手段２０３が計測した脈波データの加速度データを演算する加速度脈波演算手段２０５、加速度脈波演算手段２０３が求めた加速度データから、埋め込み次元をｎとし埋め込み遅延をτとして、カオスアトラクターを生成するカオスアトラクター生成手段２０９、生成したカオスアトラクターを記憶する結果記憶手段２１１を備えている。出力手段２１３は生成したカオスアトラクターの軌道形状を出力する。
【００７８】
第２実施形態をＣＰＵおよびプログラムで実現した場合のハードウェア構成は、第１実施形態と同様であるので説明は省略する。
【００７９】
第２実施形態における、プログラムによるＣＰＵ２３の処理について、図１４を用いて、説明する。
【００８０】
ＣＰＵ２３は、指尖脈波計測器３６に対して、脈波を計測する命令を与えて、脈波を計測する(図１４ステップＳ４１）。指尖脈波計測器３６から計測脈波が与えられると、メモリ２７に記憶する。
【００８１】
ＣＰＵ２３は、メモリ２７に記憶した脈波から加速度脈波を演算する(図１４ステップＳ４３）。これは、従来と同様に、計測脈波を２回微分することにより得られる。得られた加速度脈波を図３Ｂに示す。
【００８２】
ＣＰＵ２３は、対象ブロック番号jを初期化する(ステップＳ４５)。ＣＰＵ２３は、j番目のブロックのデータを抽出する(ステップＳ４７)。本実施形態においては、サンプリングレートを第１実施形態と同様に、１秒間に２００回とし、P＝3500個のデータを抽出するようにした。この場合、j=1であるので、第１番目のブロックデータとして、先頭から3500個のデータが抽出される。本実施形態においては、P＝3500としたがこれに限定されない。このようにして、先頭から３５００点のデータが抽出され、これらが第１番目のブロックＢ１のデータとなる。
【００８３】
ＣＰＵ２３は、対象ブロックの指尖脈波データについて、Takensの埋め込み定理によって、埋め込み次元をｎとし埋め込み遅延をτとして、カオスアトラクターを再構成する（ステップＳ４９）。
【００８４】
図１５を用いて指尖脈波データからのカオスアトラクタ構成の手順を示す。時系列の指尖脈波データをｗ（ｔ）とする（図１５Ａ）。この指尖脈波データに基づいて、ＣＰＵ２３は、ベクトルＰ（ｉ）＝ｗ（ｉ）、ｗ（ｉ＋τ）、ｗ（ｉ＋２τ）を生成する（図１５Ａ参照）。ここでτは埋め込み遅延である。
【００８５】
このベクトルＰ（ｉ）を、図１５Ｂに示すように、ｎ次元再構成相空間内に順次プロットする。ここでは、図示するため、３次元ベクトルとした。この場合、ｎ次元再構成相空間の座標軸は、Ｘｉ＝ｗ（ｉ）、Ｙｉ＝（ｉ＋τ）、Ｚｉ＝（ｉ＋２τ）である。このようにして、図１５Ｃに示すようなアトラクタを得ることができる。
【００８６】
ＣＰＵ２３は、指尖脈波の全てのブロックについて、アトラクタを求めたか否かを判断する（ステップＳ５１）。ここでは、ｊ=１で、未処理のブロックがあるので、ステップＳ７に戻り処理ブロック番号ｊをインクリメントする。これで、ｊ＝２となる。ＣＰＵ２３は、第２番目のブロックデータを抽出する（ステップＳ４７）。本実施形態においては、j番目のブロックデータの先頭を、一つ手前のJ-1番目のブロックデータの先頭から２００個ずれた位置とした。ＣＰＵ２３は、この対象ブロックについて、ステップＳ４９の演算を行う(ステップＳ４９)。
【００８７】
このようにして、ＣＰＵ２３は、第２番目のブロックＢ２についても、同様にして、アトラクタを求める。ＣＰＵ２３は、このようにして算出したアトラクタ（ベクトルＰ（ｉ））を、ハードディスク２６に記録する。
【００８８】
ＣＰＵ２３は、全てのブロックについて、アトラクタを求めたと判断すると、記録したアトラクタをディスプレイ２６に表示する（ステップＳ５５）。なお、アトラクタの表示については、いろいろな表記が可能である。例えば、４次元アトラクタであれば、縦・横・高さおよび色によって表示すればよい。
【００８９】
このように、上記診断データ生成装置を含む診断装置として構成することもできる。
【００９０】
なお、この実施形態では、埋め込み次元ｎを４とし、埋め込み遅延τを１０点（１０サンプリング点）とした。なお、埋め込み次元ｎ、埋め込み遅延τは指尖脈波の加速度について、図１１，図１２のような違いが現れる値であれば、他の値としてもよい。
【００９１】
なお、人間の脈波については、遅延時間50msが好ましい。したがって、サンプリングレートを変更した場合でも、かかる遅延時間50msとなるように埋め込み遅延τを決定すればよい。
【００９２】
本実施形態においては、加速度脈波データを採用した場合について説明したがさらに加速度脈波を、さらに、１回または２回以上微分したデータを用いてもよい。図１６，図１７に健常者２名と精神疾患者２名の加速度脈波をさらに２回以上微分した脈波データ（４回微分脈波データ）をそれぞれ示す。かかる４回微分脈波データのアトラクタをそれぞれ図１８、図１９に示す。このように、加速度脈波をさらに２回微分したデータであってもアトラクタの軌道が健常者と精神疾患者で異なる。
【００９３】
５.  第３実施形態
第２実施形態では、加速度脈波のアトラクタを生成して、その形状が丸い場合と角がある場合とで、精神疾患者であるのかを判断するようにした。発明者は、かかる加速度脈波の特性のいずれが、このような傾向を生じているのかについて、検討した。その結果、発明者の調べた対象者（健常者４６５名および精神疾患患者１９９名）について、脈波データを４回微分した４回微分データの波高比b/aおよび波高比b/dは、精神疾患の判断に相関関係があることが分かった。すなわち、４回微分データの波高比b/dが大きいほど精神疾患の傾向にあること、および４回微分データの波高比b/aが小さいほど精神疾患の傾向にあることが判明した。図２０〜図２２に分析結果を示す。図２１、図２２のp値から、４回微分データの波高比b/aおよび波高比b/dについて、精神疾患と相関関係があることが分かる。
【００９４】
また、前記対象者に関して、４回微分データの波高比b/aおよび波高比b/dの双方を用いた関係は下記の関係式で表すことができる。
【００９５】
F=b/d*0.89-b/a*1.265-2.02    （式２）
重心Y=40*(-0.567)+47*0.482=0
F＜０の時、健常者、それ以外は精神疾患者と判断できる。
【００９６】
上記波高比b/aおよび波高比b/dと、精神疾患者との関係は、F=K1*（b/d）-K2（b/a）-K3で関係を表すことができる。すなわち、値b/dが大きいほど精神疾患者の傾向が強く、値b/aが小さいほど精神疾患者の傾向が強といえる。言い換えれば、４回微分データ波高比b/dと波高比b/aの差に基づいて、精神疾患者か否かの判断が可能となる。
【００９７】
なお、図２０におけるリアプノフ（Lyapunov）指数については、以下のようにして求めることができる。ここで、リアプノフ指数とは、ｘn+1＝ｆ(ｘn)という力学系について、近接した２点から出発した２つの軌道｛ｘn｝がどのくらいｎ→無限大のとき離れてゆくかを測る尺度である。下式によって算出したアトラクタの各次元のリアプノフ（Lyapunov）指数を算出できる。
【００９８】
【数１】
0005911840.tif 000002
【００９９】
本実施形態において開示した発明は、図２３に示す手段から構成されていると発明として把握することができる。
【０１００】
測定部位に流れている血流量によって変化する脈波データを計測する指尖脈波計測手段４０３と、前記脈波を記憶する脈波記憶手段４０５と、前記脈波データを４回微分した４回微分データを演算する微分データ演算手段４０６と、求めた４回微分データを記憶する微分データ記憶手段４０７と、精神疾患傾向があることを示す手段であって、微分データ演算手段が求めた４回微分データから、波高比b/a を求めて、これを第１パラメータとして、前記第１パラメータの値が小さいほど前記精神疾患度が大きいと判断する精神疾患度演算手段４０９と、を備えた診断データ生成装置４１０。
【０１０１】
また、精神疾患度演算手段４０９は、前記４回微分データから、波高比d/bを求めて、これを第２パラメータとして、前記第１パラメータと前記第２パラメータの差が小さいほど前記精神疾患度が大きいと判断するようにしてもよい。
【０１０２】
また、精神疾患度演算手段４０９は、精神疾患傾向があることを示す手段であって、前記４回微分データから、波高比d/bを求めて、これを第２パラメータとして、前記第２パラメータの値が小さいほど前記精神疾患度が大きいと判断するようにしてもよい。
【０１０３】
第３実施形態をＣＰＵおよびプログラムで実現した場合のハードウェア構成は、第１実施形態と同様であるので説明は省略する。
【０１０４】
また、この場合のプログラムは、図２４のようになる。簡単に説明すると、指尖脈波計測器３６から計測脈波が与えられると、ＣＰＵ２３はメモリ２７に記憶する(ステップＳ６１）。ＣＰＵ２３は、メモリ２７に記憶した脈から４回微分した微分脈波を演算する(ステップＳ６３）。
【０１０５】
ＣＰＵ２３は、波高比d/b、波高比d/bを求め、精神疾患度を演算する。具体的には、波高比d/bおよび波高比d/bの平均を求めて、前記式（２）に当てはめればよい。
【０１０６】
ＣＰＵ２３は、Ｆ＜０か否か判断し(ステップＳ６６)、Ｆ＜０であれば健常傾向にあるとディスプレイ２６に表示する（ステップＳ５５）。また、Ｆ＜０でなければ精神疾患傾向にあるとディスプレイ２６に表示する（ステップＳ５５）
この診断データ生成装置に第１実施形態と同様に、報知手段およびまたは出力手段を接続して、診断装置４００を構成するようにしてもよい。
【０１０７】
本実施形態においては、加速度脈波データをさらに２回微分した４回微分データを用いた場合について説明したが、４回微分データをさらに、１または２回以上微分したデータを用いてもよい。
【０１０８】
６.  他の実施形態
第１実施形態において開示した発明は、図２５に示すような、診断データ生成装置として把握することができる。
【０１０９】
測定部位に流れている血流量によって変化する脈波データを計測する指尖脈波計測手段５０３と、前記脈波を記憶する脈波記憶手段５０５と、下記b1)〜b3)を有する演算手段５１０、b1)前記脈波データからN個の個別データについて、連続するm個の要素で構成される組を、複数生成し、各組の要素の値から決定される組特性値の違いが第１閾値d未満である組の集合数を第1組数として求める第1組数演算手段５１３、b2)前記N個の個別データについて、連続するm+1個の要素で構成される組を、複数生成し、各組の要素の値から決定される組特性値の違いが第１閾値d未満である組の集合数を第２組数として求める第２組数演算手段５１５、b3)前記第１組数および前記第２組数に基づいて、前記脈波の微視的乱雑さを求める微視的乱雑さ演算手段５１１、C)前記微視的乱雑さ演算手段５１１に、前記第１閾値dを変化させた場合の、前記脈波の微視的乱雑さを演算させる変化微視的乱雑さ演算手段５２３、Ｄ）前記第１閾値dを変化させた場合の脈波の微視的乱雑さの変化グラフを生成する生成手段５２５を有すること、を特徴とする診断データ生成装置５００。
【０１１０】
この診断データ生成装置に第１実施形態と同様に、報知手段およびまたは出力手段を接続して、診断装置を構成するようにしてもよい。
【０１１１】
また、本実施形態においては、人体から検出した時系列変化データとして、指尖脈波を用いたが、かかる脈波以外に、脳波等についても同様に適用することができる。
【０１１２】
また、端末コンピュータはパソコンではなく、携帯端末などであってもよい。また、端末コンピュータでは演算を行わず、演算に必要なデータをネットワーク接続したコンピュータに送信し、このコンピュータの演算結果を端末コンピュータに送信するようにしてもよい。
【０１１３】
上記実施形態においては、図１に示す機能を実現するために、ＣＰＵを用い、ソフトウェアによってこれを実現している。しかし、その一部若しくはすべてを、ロジック回路等のハードウェアによって実現してもよい。
【０１１４】
なお、上記プログラムの一部の処理をオペレーティングシステム（ＯＳ）にさせるようにしてもよい。
【図１】
0005911840.tif 000003
【図２】
0005911840.tif 000004
【図３】
0005911840.tif 000005
【図４】
0005911840.tif 000006
【図５】
0005911840.tif 000007
【図６】
0005911840.tif 000008
【図７】
0005911840.tif 000009
【図８】
0005911840.tif 000010
【図９】
0005911840.tif 000011
【図１０】
0005911840.tif 000012
【図１１】
0005911840.tif 000013
【図１２】
0005911840.tif 000014
【図１３】
0005911840.tif 000015
【図１４】
0005911840.tif 000016
【図１５】
0005911840.tif 000017
【図１６】
0005911840.tif 000018
【図１７】
0005911840.tif 000019
【図１８】
0005911840.tif 000020
【図１９】
0005911840.tif 000021
【図２０】
0005911840.tif 000022
【図２１】
0005911840.tif 000023
【図２２】
0005911840.tif 000024
【図２３】
0005911840.tif 000025
【図２４】
0005911840.tif 000026
【図２５】
0005911840.tif 000027